(57)【要約】【課題】表示領域に表示されている文書に対して、指示体を用いて指示された位置に画像を配置する。【解決手段】制御部１１は、記憶部１２の文書記憶領域１２１から文書を読み出し、表示部１４の表示領域１４１に表示させる。制御部１１は、検知部１３による位置の検知が有るか否かを判断し、位置の検知があると判断した場合、受信部１５により指示体２から印影画像２１を受信するように試みて、指示体２の印影画像２１が有る否かを判断する。印影画像２１があると判断した場合、制御部１１は、文書記憶領域１２１から読み出され表示領域１４１に表示されている文書の検知部１３が検知した位置に印影画像２１を配置した捺印文書を生成する。【選択図】図２
2011232849.tif 000002
【特許請求の範囲】
【請求項１】
表示領域に文書を表示する表示手段と、
前記表示領域に文書が表示されているときに、指示体が当該表示領域に接触し、または
或る距離よりも接近した位置を検知する検知手段と、
前記指示体に定められた画像を取得する取得手段と、
前記文書の前記検知手段が検知した位置に、前記取得手段により取得された前記画像を
配置した文書を生成する生成手段と
を具備することを特徴とする表示装置。
【請求項２】
前記指示体の表面を読み取る読取手段を具備し、
前記取得手段は、前記読取手段が読み取った内容に応じた画像を、前記指示体に定めら
れた画像として取得する
ことを特徴とする請求項１に記載の表示装置。
【請求項３】
前記読取手段は、前記表面を読み取った回数を特定し、
前記取得手段は、前記読取手段が読み取った内容と特定された回数に応じた画像を、前
記指示体に定められた画像として取得する
ことを特徴とする請求項２に記載の表示装置。
【請求項４】
前記読取手段は、前記表面を読み取るときに当該表面から受ける力を特定し、
前記取得手段は、前記読取手段が読み取った内容と特定された力に応じた画像を、前記
指示体に定められた画像として取得する
ことを特徴とする請求項２に記載の表示装置。
【請求項５】
前記指示体が有する画像記憶手段に予め記憶されている画像を受信する受信手段を具備
し、
前記取得手段は、前記受信手段により受信された画像を、前記指示体に定められた画像
として取得する
ことを特徴とする請求項１に記載の表示装置。
【請求項６】
複数の指示体の識別情報ごとに、それぞれ異なる画像を対応付けて記憶する記憶手段と
、
前記指示体から前記識別情報を受信する受信手段と
を具備し、
前記取得手段は、前記指示体に定められた画像として、前記受信手段により受信された
識別情報に対応する画像を前記記憶手段から取得する
ことを特徴とする請求項１に記載の表示装置。
【請求項７】
前記検知手段は、前記位置に加えて、当該位置を検知したときの前記文書に対する前記
指示体の姿勢を検知し、
前記生成手段は、前記文書の前記検知手段が検知した位置に前記姿勢に対応する向きで
、前記取得手段により取得された前記画像を配置した文書を生成する
ことを特徴とする請求項１から６のいずれかに記載の表示装置。
【請求項８】
前記表示手段は、前記生成手段により生成された文書を前記表示領域に表示する
ことを特徴とする請求項１から７のいずれかに記載の表示装置。
【請求項９】
請求項１から８のいずれかに記載の表示装置と、
前記表示装置の生成手段により生成された文書を示す画像を記録媒体に形成する画像形
成装置と
を具備することを特徴とする画像形成システム。
【請求項１０】
表示領域を具備するコンピューターに、
前記表示領域に文書を表示させる表示制御ステップと、
前記表示領域に前記文書が表示されているときに、指示体が当該表示領域に接触し、ま
たは或る距離よりも接近した位置を前記検知手段に検知させる検知制御ステップと、
前記指示体に定められた画像を前記取得手段に取得させる取得制御ステップと、
前記文書の前記検知手段に検知させた位置に、前記取得手段に取得させた前記画像を配
置した文書を生成する生成ステップと
を実行させるためのプログラム。
【発明の詳細な説明】
【技術分野】
【０００１】
本発明は、文書に画像を配置する表示装置、画像形成システムおよびプログラムに関す
る。
【背景技術】
【０００２】
従来、捺印された文書を電子化する場合には、元の文書を印刷し、その印刷物に実際に
捺印をした後で、その印刷物をスキャナー等で読み取って電子文書にしていた。そのため
に、捺印された文書を電子化する度に元の文書を印刷する必要があり、作業が煩雑である
上に用紙が無駄に消費されていた。特許文献１には、ケース本体と、このケース本体の前
面に取り付ける透過マスクと、上記ケース本体内であって上記透過マスクの後方に位置す
る光センサーとからなるディスプレイとは別体の画像入力装置を備えた画像表示装置が開
示されている。
【先行技術文献】
【特許文献】
【０００３】
【特許文献１】特開平１０−３３４５号公報
【発明の概要】
【発明が解決しようとする課題】
【０００４】
しかしながら、特許文献１の技術では、画像を入力するために、ディスプレイの或る範
囲（パレット）内にわたり、他の部分より明るくする描画点を走査させる必要があった。
【０００５】
本発明は、このような事情に鑑みてなされたもので、その目的は、表示領域に表示され
ている文書に対して、指示体を用いて指示された位置に画像を配置することにある。
【課題を解決するための手段】
【０００６】
上述した課題を解決するため、本発明に係る表示装置は、表示領域に文書を表示する表
示手段と、前記表示領域に文書が表示されているときに、指示体が当該表示領域に接触し
、または或る距離よりも接近した位置を検知する検知手段と、前記指示体に定められた画
像を取得する取得手段と、前記文書の前記検知手段が検知した位置に、前記取得手段によ
り取得された前記画像を配置した文書を生成する生成手段とを具備することを特徴とする
。
これにより、表示装置は、表示領域に表示されている文書に対して、指示体を用いて指
示された位置に画像を配置することができる。
【０００７】
また、好ましくは、前記指示体の表面を読み取る読取手段を具備し、前記取得手段は、
前記読取手段が読み取った内容に応じた画像を、前記指示体に定められた画像として取得
するとよい。
これにより、指示体の表面を用いて文書に画像を配置することができる。
【０００８】
また、好ましくは、前記読取手段は、前記表面を読み取った回数を特定し、前記取得手
段は、前記読取手段が読み取った内容と特定された回数に応じた画像を、前記指示体に定
められた画像として取得するとよい。
これにより、利用者が文書に配置する画像を調整することができる。
【０００９】
また、好ましくは、前記読取手段は、前記表面を読み取るときに当該表面から受ける力
を特定し、前記取得手段は、前記読取手段が読み取った内容と特定された力に応じた画像
を、前記指示体に定められた画像として取得するとよい。
これにより、利用者が文書に配置する画像を調整することができる。
【００１０】
好ましくは、前記指示体が有する画像記憶手段に予め記憶されている画像を受信する受
信手段を具備し、前記取得手段は、前記受信手段により受信された画像を、前記指示体に
定められた画像として取得するとよい。
これにより、指示体に定められた画像をその指示体に記憶させることができる。
【００１１】
また、好ましくは、複数の指示体の識別情報ごとに、それぞれ異なる画像を対応付けて
記憶する記憶手段と、前記指示体から前記識別情報を受信する受信手段とを具備し、前記
取得手段は、前記指示体に定められた画像として、前記受信手段により受信された識別情
報に対応する画像を前記記憶手段から取得するとよい。
これにより、受信手段で受信できる情報量よりも大きな情報量を有する画像を、指示体
に定められた画像として用いることができる。
【００１２】
また、好ましくは、前記検知手段は、前記位置に加えて、当該位置を検知したときの前
記文書に対する前記指示体の姿勢を検知し、前記生成手段は、前記文書の前記検知手段が
検知した位置に前記姿勢に対応する向きで、前記取得手段により取得された前記画像を配
置した文書を生成するとよい。
これにより、この構成を有しない表示装置に比べて、文書の偽造が困難になる。
【００１３】
また、好ましくは、前記表示手段は、前記生成手段により生成された文書を前記表示領
域に表示するとよい。
これにより、利用者は画像が配置された文書を表示により確認することができる。
【００１４】
また、本発明に係る画像形成システムは、上述の表示装置と、前記表示装置の生成手段
により生成された文書を示す画像を記録媒体に形成する画像形成装置とを具備することを
特徴とする。
これにより、利用者は捺印された文書を記録媒体上に形成された画像により確認するこ
とができる。
【００１５】
また、本発明に係るプログラムは、表示領域を具備するコンピューターに、前記表示領
域に文書を表示させる表示制御ステップと、前記表示領域に前記文書が表示されていると
きに、指示体が当該表示領域に接触し、または或る距離よりも接近した位置を前記検知手
段に検知させる検知制御ステップと、前記指示体に定められた画像を前記取得手段に取得
させる取得制御ステップと、前記文書の前記検知手段に検知させた位置に、前記取得手段
に取得させた前記画像を配置した文書を生成する生成ステップとを実行させるためのプロ
グラムである。
このプログラムにより制御される表示装置により、表示領域に表示されている文書に対
して、指示体を用いて指示された位置に画像を配置することができる。
【図面の簡単な説明】
【００１６】
【図１】第１実施形態に係る表示装置の外観を示す図である。
【図２】第１実施形態に係る表示装置の構成を示すブロック図である。
【図３】制御部の機能的構成を説明するための図である。
【図４】表示装置の動作を示すフロー図である。
【図５】第２実施形態に係る表示装置の構成を示すブロック図である。
【図６】制御部の機能的構成を説明するための図である。
【図７】表示装置の動作を示すフロー図である。
【図８】第３実施形態に係る表示装置の外観を示す図である。
【図９】表示装置の構成を示すブロック図である。
【図１０】制御部の機能的構成を説明するための図である。
【図１１】表示装置の動作を示すフロー図である。
【図１２】指示する位置に加えて姿勢を検知される指示体を説明する図である。
【図１３】変形例における指示体を説明する図である。
【図１４】変形例における画像形成システムの概略図である。
【図１５】変形例における画像形成システムの構成を示すブロック図である。
【発明を実施するための形態】
【００１７】
１．第１実施形態
１−１．構成
１−１−１．全体構成
図１は、本発明の第１実施形態に係る表示装置１の外観を示す図である。表示装置１は
、文書を表示する表示領域１４１を備えており、表示領域１４１に対して指示体２の決め
られた面を押付けると、表示されている文書のうち指示体２を押付けた位置に予め決めら
れた画像が表示されるように構成されている。例えば、図１（ａ）に示すように文書であ
る「稟議書」が表示領域１４１に表示されているときに、利用者が表示領域１４１の上に
指示体２を押付けると、図１（ｂ）に示すように、表示領域１４１に表示されている文書
において、指示体２を押付けられた位置に、印鑑等の印影を示す画像（以下、印影画像と
いう）が配置される。
【００１８】
図２は、第１実施形態に係る表示装置１の構成を示すブロック図である。制御部１１は
、ＣＰＵ（Central Processing Unit）、ＲＯＭ（Read Only Memory）、ＲＡＭ（Random 
Access Memory）を備え、ＲＯＭや記憶部１２に記憶されているコンピュータープログラ
ムを読み出して実行することにより表示装置１の各部を制御する。記憶部１２はハードデ
ィスクドライブやＥＥＰＲＯＭ（Electrically Erasable Programmable Read Only Memor
y）などの記憶手段であり、制御部１１に読み込まれるプログラムを記憶する。また、記
憶部１２は、文書を記憶する記憶領域である文書記憶領域１２１を有する。制御部１１は
、文書記憶領域１２１から文書を読み出して表示部１４に供給する。上述した表示領域１
４１は、基板同士の間隙に液晶を封入して形成される表示素子である。表示部１４は、Ｔ
ＦＴ（thin film transistor：薄膜トランジスター）などで形成されたスイッチング素子
を備え、上記の液晶を駆動することにより表示領域１４１に供給された文書を表示する。
すなわち、表示部１４は、表示領域に文書を表示する表示手段の一例である。
【００１９】
検知部１３は、表示領域１４１に重ねて配置された抵抗膜式の接触センサーであり、表
示領域１４１に対して指示体２が押すことにより指示した位置を検知する。指示体２には
、情報を記憶したＲＦＩＤ（Radio Frequency Identification）タグが設けられている。
受信部１５は、指示体２に電波を照射して、指示体２のＲＦＩＤタグに記憶された情報を
受信するタグリーダーである。具体的には、指示体２のＲＦＩＤタグには上記の印影画像
２１が情報として記憶されている。受信部１５から供給される電波によりＲＦＩＤタグは
電力を得て印影画像２１を示す情報を反射波に含ませる。受信部１５は、指示体２から反
射波を受信して印影画像を得る。
【００２０】
通信部１６は、通信回線３との間で情報を通信するインターフェースであり、例えば各
種のモデムやIMT-2000に準拠した無線通信回路、あるいは、ＵＳＢ（Universal Serial B
us）規格に準拠したシリアルインターフェースや、ＩｒＤＡ（Infrared Data Associatio
n）、Bluetooth（登録商標）などに準拠した無線インターフェースなどである。
【００２１】
１−１−２．制御部の機能的構成
図３は、制御部１１の機能的構成を説明するための図である。取得部１１１は、受信部
１５により受信された印影画像２１を指示体２に定められた画像として取得する。生成部
１１２は、文書記憶領域１２１から読み出された文書において、検知部１３が検知した位
置に、取得部１１１が取得した画像を配置した文書（以下、捺印文書という）を生成する
。すなわち、取得部１１１は、位置の指示に用いられる指示体に定められた画像を取得す
る取得手段の一例であり、生成部１１２は、文書の検知手段が検知した位置に、取得手段
により取得された画像を配置した文書を生成する生成手段の一例である。
取得部１１１および生成部１１２は、制御部１１が記憶部１２に記憶されているコンピ
ュータープログラムを読み出して実行することにより実現される。
【００２２】
１−２．動作
次に、第１実施形態に係る表示装置１の動作を説明する。
図４は、表示装置１の動作を示すフロー図である。制御部１１は、記憶部１２の文書記
憶領域１２１から文書を読み出し、表示部１４の表示領域１４１に表示させる（ステップ
Ｓ１１）。次に、制御部１１は、検知部１３による位置の検知が有るか否かを判断する（
ステップＳ１２）。位置の検知がないと判断した場合（ステップＳ１２；ＮＯ）、制御部
１１は、処理をステップＳ１１に戻す。位置の検知があると判断した場合（ステップＳ１
２；ＹＥＳ）、制御部１１は、受信部１５により指示体２から印影画像２１を受信するよ
うに試みて（ステップＳ１３）、指示体２の印影画像２１が有る否かを判断する（ステッ
プＳ１４）。印影画像２１がないと判断した場合（ステップＳ１４；ＮＯ）、制御部１１
は、処理をステップＳ１１に戻す。印影画像２１があると判断した場合（ステップＳ１４
；ＹＥＳ）、制御部１１は、文書記憶領域１２１から読み出され表示領域１４１に表示さ
れている文書の検知部１３が検知した位置に印影画像２１を配置した捺印文書を生成する
（ステップＳ１５）。そして、制御部１１は、図示しない操作部を介して利用者から処理
を終了する旨の指示である終了指示があるか否かを判断し（ステップＳ１６）、終了指示
がないと判断すると（ステップＳ１６；ＮＯ）、処理をステップＳ１１に戻し、終了指示
があると判断すると（ステップＳ１６；ＹＥＳ）処理を終了する。
【００２３】
第１実施形態に係る表示装置１によれば、表示領域に表示されている文書に指示体を押
付けるだけで、その文書に印影画像を配置することができるので、利用者は表示領域に表
示された文書に直接、捺印をする感覚で、例えば確認済みの文書を生成することができる
。この際に、表示領域に表示されている文書を用紙等に別途、印刷する必要がないので用
紙等が節約される。また、文書への捺印にインクや朱肉等の色材を用いないので、色材に
よる汚れは発生しない。また、指示体２によって印影画像を記憶することができる。
【００２４】
２．第２実施形態
２−１．構成
図５は、本発明の第２実施形態に係る表示装置１ａの構成を示すブロック図である。表
示装置１ａは、印影画像２１を記憶している指示体２に代えて、自身を識別するための識
別情報２２を記憶している指示体２ａによって操作される点が、第１実施形態に係る表示
装置１と異なっている。また、表示装置１ａは、文書記憶領域１２１に加えて画像データ
ベース（図において画像ＤＢと表記する）１２２を有する記憶部１２ａを記憶部１２に代
えて備えている点が、第１実施形態に係る表示装置１と異なっている。画像データベース
１２２は、複数の指示体２ａの識別情報２２ごとに、それぞれ異なる印影画像を対応付け
て記憶するデータベースである。表示装置１ａは、制御部１１に代えて、制御部１１ａを
備える。
【００２５】
図６は、制御部１１ａの機能的構成を説明するための図である。表示装置１ａの制御部
１１ａは、表示装置１の制御部１１と異なる処理を行う。取得部１１１ａは、受信部１５
により受信された識別情報２２を受け取ると、画像データベース１２２を参照し、この識
別情報２２に対応する印影画像を取得する。すなわち、取得部１１１ａは、指示体に定め
られた画像として、受信手段により受信された識別情報に対応する画像を記憶手段から取
得する取得手段の一例である。
【００２６】
生成部１１２は、制御部１１による生成部１１２と同じであり、文書記憶領域１２１か
ら読み出された文書において、検知部１３が検知した位置に、取得部１１１が取得した画
像を配置した捺印文書を生成する。
取得部１１１ａおよび生成部１１２は、制御部１１ａが記憶部１２ａに記憶されている
コンピュータープログラムを読み出して実行することにより実現される。
【００２７】
２−２．動作
図７は、表示装置１ａの動作を示すフロー図である。制御部１１ａは、記憶部１２ａの
文書記憶領域１２１から文書を読み出し、表示部１４の表示領域１４１に表示させる（ス
テップＳ２１）。次に、制御部１１ａは、検知部１３による位置の検知が有るか否かを判
断する（ステップＳ２２）。位置の検知がないと判断した場合（ステップＳ２２；ＮＯ）
、制御部１１ａは、処理をステップＳ２１に戻す。位置の検知があると判断した場合（ス
テップＳ２２；ＹＥＳ）、制御部１１ａは、受信部１５により指示体２ａから識別情報２
２を受信するように試みて（ステップＳ２３）、指示体２ａの識別情報２２が有る否かを
判断する（ステップＳ２４）。識別情報２２がないと判断した場合（ステップＳ２４；Ｎ
Ｏ）、制御部１１ａは、処理をステップＳ２１に戻す。識別情報２２があると判断した場
合（ステップＳ２４；ＹＥＳ）、制御部１１ａは、画像データベース１２２を検索し（ス
テップＳ２５）、画像データベース１２２に識別情報２２に対応する印影画像があるか否
かを判断する（ステップＳ２６）。画像データベース１２２に識別情報２２に対応する印
影画像がないと判断した場合には（ステップＳ２６；ＮＯ）、制御部１１ａは、処理をス
テップＳ２１に戻す。画像データベース１２２に識別情報２２に対応する印影画像がある
と判断した場合には（ステップＳ２６；ＹＥＳ）、制御部１１ａは、文書記憶領域１２１
から読み出され表示領域１４１に表示されている文書の検知部１３が検知した位置に、画
像データベース１２２から検索された印影画像を配置した捺印文書を生成する（ステップ
Ｓ２７）。そして、制御部１１ａは、図示しない操作部を介して利用者から処理を終了す
る旨の指示である終了指示があるか否かを判断し（ステップＳ２８）、終了指示がないと
判断すると（ステップＳ２８；ＮＯ）、処理をステップＳ２１に戻し、終了指示があると
判断すると（ステップＳ２８；ＹＥＳ）処理を終了する。
【００２８】
第２実施形態に係る表示装置１ａによれば、読取装置により遣り取りされる情報量に制
限がある場合であっても、その制限を超えた情報量を有する印影画像を取り扱うことがで
きる。また、捺印文書の生成の際に、表示領域に表示されている文書を用紙等に別途、印
刷する必要がないので用紙等が節約される。また、文書への捺印にインクや朱肉等の色材
を用いないので、色材による汚れは発生しない。
【００２９】
３．第３実施形態
３−１．構成
図８は、本発明の第３実施形態に係る表示装置１ｂの外観を示す図である。また、図９
は、表示装置１ｂの構成を示すブロック図である。表示装置１ｂは、読取部１７を備えて
いる点が、第１実施形態に係る表示装置１と異なっている。また、表示装置１ｂは、一般
に使用されている印鑑を指示体２ｂとして用いることができる点が、第１実施形態に係る
表示装置１と異なっている。さらに、表示装置１ｂは、文書記憶領域１２１に加えて画像
記憶領域１２３を有する記憶部１２ｂを、記憶部１２に代えて備えている点が、第１実施
形態に係る表示装置１と異なっている。表示装置１ｂは、制御部１１に代えて、制御部１
１ｂを備える。
【００３０】
印鑑である指示体２ｂは、その表面のうち印影面である面２０を有する。図１に示すよ
うに、読取部１７は、朱肉やスタンプ台に相当する外観を有する装置であり、物体の表面
の凹凸を読み取る読取面１７１を有する。具体的には、読取面１７１は、物体の表面を押
付けることで、凸部により押されている部分を検知する感圧センサーを有し、読取部１７
は、読取面１７１の検知結果、すなわち読取面１７１により読み取られた内容に基づいて
、物体の表面の凹部を「地（背景）」とし、凸部を「図（前景）」とする図形の画像を示
す画像データを生成する。したがって、読取面１７１に指示体２ｂの面２０を押付けると
、読取部１７は、面２０に掘り込まれた印影に対応する印影画像を生成する。すなわち、
読取部１７は、指示体の表面を読み取る読取手段の一例である。
【００３１】
図１０は、制御部１１ｂの機能的構成を説明するための図である。表示装置１ｂの制御
部１１ｂは、表示装置１の制御部１１と異なる処理を行う。取得部１１１ｂは、読取部１
７により生成された印影画像を、指示体２ｂに定められた画像として取得する。すなわち
、取得部１１１ｂは、読取手段が読み取った内容に応じた画像を、指示体に定められた画
像として取得する取得手段の一例である。
【００３２】
生成部１１２は、制御部１１による生成部１１２と同じであり、文書記憶領域１２１か
ら読み出された文書において、検知部１３が検知した位置に、取得部１１１が取得した画
像を配置した捺印文書を生成する。
取得部１１１ｂおよび生成部１１２は、制御部１１ｂが記憶部１２ｂに記憶されている
コンピュータープログラムを読み出して実行することにより実現される。
【００３３】
３−２．動作
図１１は、表示装置１ｂの動作を示すフロー図である。制御部１１ｂは主に、印影画像
を取得する動作と文書に捺印をする動作の２種類の動作を行う。これら２種類の動作は、
制御部１１ｂにおいて時分割処理等により並列的に実行される。
【００３４】
３−２−１．印影画像を取得する動作
図１１（ａ）に示すように、制御部１１ｂは、読取部１７により指示体２ｂの面２０を
読み取らせるよう試み（ステップＳ３１）、印影画像があるか否かを判断する（ステップ
Ｓ３２）。印影画像がないと判断すると（ステップＳ３２；ＮＯ）、制御部１１ｂは、処
理をステップＳ３１に戻す。印影画像があると判断すると（ステップＳ３２；ＹＥＳ）、
制御部１１ｂは、読取部１７が読み取った印影画像を記憶部１２ｂの画像記憶領域１２３
に記憶する（ステップＳ３３）。そして、制御部１１ｂは、図示しない操作部を介して利
用者から処理を終了する旨の指示である終了指示があるか否かを判断し（ステップＳ３４
）、終了指示がないと判断すると（ステップＳ３４；ＮＯ）、処理をステップＳ３１に戻
し、終了指示があると判断すると（ステップＳ３４；ＹＥＳ）処理を終了する。
【００３５】
このようにして、制御部１１ｂは、読取部１７に押付けられた指示体２ｂの面２０の形
状に応じた印影画像のうち最新のものを、記憶部１２ｂに記憶する。
【００３６】
３−２−２．文書に捺印をする動作
図１１（ｂ）に示すように、制御部１１ｂは、記憶部１２ｂの文書記憶領域１２１から
文書を読み出し、表示部１４の表示領域１４１に表示させる（ステップＳ４１）。次に、
制御部１１ｂは、検知部１３による位置の検知が有るか否かを判断する（ステップＳ４２
）。位置の検知がないと判断した場合（ステップＳ４２；ＮＯ）、制御部１１ｂは、処理
をステップＳ４１に戻す。位置の検知があると判断した場合（ステップＳ４２；ＹＥＳ）
、制御部１１ｂは、画像記憶領域１２３に印影画像があるか否かを判断し（ステップＳ４
３）、画像記憶領域１２３に印影画像がないと判断した場合（ステップＳ４３；ＮＯ）、
処理をステップＳ４１に戻す。画像記憶領域１２３に印影画像があると判断した場合（ス
テップＳ４３；ＹＥＳ）、制御部１１ｂは、文書記憶領域１２１から読み出され表示領域
１４１に表示されている文書の検知部１３が検知した位置に、画像記憶領域１２３に記憶
されている印影画像を配置した捺印文書を生成する（ステップＳ４４）。そして、制御部
１１ｂは、図示しない操作部を介して利用者から処理を終了する旨の指示である終了指示
があるか否かを判断し（ステップＳ４５）、終了指示がないと判断すると（ステップＳ４
５；ＮＯ）、処理をステップＳ４１に戻し、終了指示があると判断すると（ステップＳ４
５；ＹＥＳ）処理を終了する。
【００３７】
第３実施形態に係る表示装置１ｂによれば、読取部１７により予め指示体２ｂの面２０
が読み取られた後に、利用者が表示領域１４１を指示体２ｂによって押すと、制御部１１
ｂは、読み取られた面２０の形状に対応する印影画像を用いて文書に捺印がされた捺印文
書を生成するので、利用者は、朱肉やスタンプ台に印鑑を押して文書に捺印をする感覚で
、読取部１７に指示体２ｂの面２０を読み取らせることができる。また、捺印文書の生成
の際に、表示領域に表示されている文書を用紙等に別途、印刷する必要がないので用紙等
が節約される。また、文書への捺印にインクや朱肉等の色材を用いないので、色材による
汚れは発生しない。
【００３８】
また、印鑑は使用していくうちに印影面が部分的に欠けたり、傷がついたりすることが
あり、これに応じて捺印された印影も変化することがある。すなわち、毎日の業務でこの
印鑑を使用している場合には、このような印鑑についた傷等の経年変化の履歴が捺印に現
れる。このように、印鑑の経年変化の履歴が捺印に現れた後において、その印鑑が経年変
化する前に予めその印鑑の印影を読み取った画像を用いて捺印を偽造することは困難であ
る。なぜなら、実際の印鑑が経年変化していく履歴は予め知ることはできないからである
。表示装置１ｂは、捺印の度に読取部１７によって指示体２ｂの表面を読み取るので、経
年変化する前の印影画像を有する者による捺印の偽造を発見することができる。また、表
示装置１ｂを用いることにより、利用者は、経年変化した印影の風合を感じることができ
る。
【００３９】
４．変形例
以上が実施形態の説明であるが、この実施形態の内容は以下のように変形し得る。また
、以下の変形例を組み合わせてもよい。
なお、以下において、表示装置１ａ、１ｂを表示装置１と区別しない場合には、これら
を総称して「表示装置１」と記す。
また、制御部１１ａ、１１ｂを制御部１１と区別しない場合には、これらを総称して「
制御部１１」と記す。
また、記憶部１２ａ、１２ｂを記憶部１２と区別しない場合には、これらを総称して「
記憶部１２」と記す。
また、指示体２ａ、２ｂ、２ｃ、２ｄを指示体２と区別しない場合には、これらを総称
して「指示体２」と記す。
【００４０】
（１−１）第３実施形態において、読取部１７は、指示体２ｂの面２０を読み取った回数
を特定してもよい。この場合、制御部１１ｂは、ＲＡＭに読取回数を示す変数を記憶し、
読取部１７により指示体２ｂの面２０が１回、読み取られる度にこの変数に１を加算する
ようにすればよい。これにより、この変数は読取部１７が指示体２ｂの面２０を読み取っ
た回数を示す数値を保持する。そして、制御部１１ｂは、上述した捺印文書を生成する際
に、読取部１７によって生成された面２０の印影に対応する印影画像を、この変数が保持
する上記の回数に応じた加工をしてもよい。具体的には、制御部１１ｂは、上記の回数が
多いほど、滲んだり、濃度が濃くなったりするように、印影画像を加工すればよい。そし
て、制御部１１ｂは、表示領域１４１に表示されている文書の検知部１３が検知した位置
に、加工したこの印影画像を配置した捺印文書を生成すればよい。
なお、この変数は、捺印文書が生成された後に、０が代入されるようにしてもよい。ま
た、この変数は、予め定められた時間が経過したときに、０が代入されるようにしてもよ
い。
【００４１】
一般に、印鑑を朱肉に押付けた回数が多いほど、その印鑑で捺印した印影が滲んだりそ
の濃度が濃くなったりするものである。上記のように読取部１７に面２０を読み取らせた
回数を捺印文書の生成に反映させることで、利用者は実際の印鑑と朱肉を使っているのに
近い操作感を得ることができる。
【００４２】
（１−２）また、第３実施形態において、読取部１７は、指示体２ｂの面２０を読み取る
ときに、面２０から受ける力を特定してもよい。この場合、読取部１７は、面２０との接
触面にかかる圧力を検知する感圧センサーを備えていればよい。そして、制御部１１ｂは
、上述した捺印文書を生成する際に、読取部１７によって生成された面２０の印影に対応
する印影画像を、特定された力に応じた加工をすればよい。具体的には、制御部１１ｂは
、上記の力が強いほど、滲んだり、濃度が濃くなったりするように、印影画像を加工すれ
ばよい。
【００４３】
一般に、印鑑を朱肉に押付けるときの力が強いほど、その印鑑で捺印した印影が滲んだ
りその濃度が濃くなったりするものである。上記のように読取部１７に面２０を読み取ら
せたときに読取部１７が面２０から受ける力を捺印文書の生成に反映させることで、利用
者は実際の印鑑と朱肉を使っているのに近い操作感を得ることができる。
【００４４】
（１−３）また、第３実施形態において、読取部１７の読取面１７１は、指示体２ｂの表
面２０を押付けることで、凸部により押されている部分を検知する感圧センサーを有して
いたが、例えば焦点距離を計測することで指示体２ｂの表面２０における凸部を検知して
もよい。この場合、読取部１７は光を照射する照射装置や光を反射させる鏡等を備え、指
示体２ｂの表面に光をあててその反射光により、読取面１７１から上記凸部までの距離を
計測すればよい。
【００４５】
（１−４）なお、読取面１７１は、指示体２ｂの表面２０における凸部を検知するのでは
なく、指示体２ｂの表面２０に形成された画像を読み取ってもよい。具体的には、読取面
１７１は、指示体２ｂの表面２０に対して可視光線、紫外線、赤外線等の電磁波を照射し
、反射波に基づいて指示体２ｂの表面２０に形成された画像を読み取ればよい。この場合
、指示体２ｂの表面２０には、凹凸による形状が形成されていなくてもよい。指示体２ｂ
の表面２０には、照射する電磁波に対する反射率がそれぞれ異なる複数の材質を配置した
り、その反射率が指示体２ｂの素材と異なる塗料を塗布したりすること等により画像が形
成されていればよい。
【００４６】
（２）上述の実施形態において、検知部１３は、表示領域１４１に対して指示体２が指示
した位置を検知していたが、検知部１３は、指示体２によって指示される位置に加えて指
示体２の姿勢を検知してもよい。
【００４７】
（２−１）図１２は、上記の検知部１３により、指示する位置に加えて姿勢を検知される
指示体２ｃを説明する図である。図１２（ａ）に示すように、指示体２ｃは、表示領域１
４１を押す面である面２０の２箇所に突起２０ａおよび突起２０ｂを有している。図１２
（ｂ）に示すように、図１２（ａ）の矢線Ｄ方向、すなわち、指示体２ｃの長手方向に沿
った方向であって、面２０の反対側の面から面２０へ向かう方向に面２０を見ると、正円
状の輪郭を有しており、突起２０ａおよび突起２０ｂはその輪郭上にある。そして、突起
２０ａから反時計回りに９０度の位置に突起２０ｂが設けられている。面２０の輪郭は正
円状であるから、点対称図形である。したがって、例えば輪郭上の１点により面２０の位
置を特定する場合、面２０の向きまでは特定することができない。しかしながら、しかし
、突起２０ａと突起２０ｂの２点により面２０の位置を特定する場合、これら２点を結ぶ
線分はこの正円の中心点を通らないから、これら２点が正円の輪郭上に特定されている図
形は点対象図形にならない。すなわち、突起２０ａおよび突起２０ｂの両方の位置が検知
されることにより、制御部１１は、これら２箇所の位置を通る輪郭を有する面２０の位置
を特定するとともに、面２０の表示領域１４１に対する向きを特定する。この結果、図１
２（ｃ）に示すように、表示領域１４１に表示された文書に対して、文字が斜めに向いた
状態で指示体２が押されたときには、その向きに対応する印影画像が文書に配置されて捺
印文書が生成される。
【００４８】
このように構成することにより、捺印における利用者の癖を反映した捺印文書が生成さ
れるので、捺印文書の偽造がより困難になる。また、利用者は実際の印鑑を用いた捺印に
近い操作感を得ることができる。
【００４９】
なお、突起２０ａ、２０ｂに代えて、指示体２ｃの面２０は検知点を２箇所に設けてい
てもよい。すなわち、指示体２ｃの表示領域１４１に対する位置および姿勢は、突起以外
によって検知されてもよく、例えば、磁気コイルにより発生する磁場を検知する場合には
検知点として、面２０において点対称とならない２箇所の位置に磁気コイルを設ければよ
い。
【００５０】
（２−２）また、印鑑と、その印鑑を保持するホルダーとにより指示体２を構成し、この
ホルダーを用いて指示体２の姿勢を検知してもよい。
図１３は、この変形例における指示体２ｄを説明する図である。図１３（ａ）に示す印
鑑２４は市販されている印鑑であり、印影が掘り込まれている面２０と、面２０の反対側
の面２３とを有する。この面２３にホルダー２５を装着することにより、図１３（ｂ）に
示す指示体２ｄが構成される。ホルダー２５は角速度センサーを備えており、この角速度
センサーにより指示体２ｄの姿勢を特定する。そして、ホルダー２５は、特定した姿勢を
示す情報を送信する送信部を備えており、例えば表示装置１の通信部１６を介してこの情
報を制御部１１へ送信する。制御部１１は、ホルダー２５により送信された情報から指示
体２ｄの姿勢を特定し、特定した姿勢に基づいて面２０の表示領域１４１に対する向きを
特定すればよい。この場合、ホルダー２５と検知部１３とは、位置に加えて、当該位置を
検知したときの文書に対する指示体の姿勢を検知する検知手段の一例である。
【００５１】
なお、ホルダー２５は、面２０の側に装着してもよい。この場合、検知部１３は、ホル
ダー２５の端面により押されることで指示される表示領域１４１の位置を検知すればよい
。
【００５２】
（３）上述の実施形態において、検知部１３は、抵抗膜方式の接触センサーであったが、
その方式は静電容量方式、電磁誘導方式、超音波表面弾性波方式、赤外線走査方式のいず
れであってもよい。また、検知部１３は、表示領域１４１に対して指示体２が押すことに
より指示した位置を検知していたが、検知部１３は指示体２が表示領域１４１に接触した
位置か、表示領域１４１に対して或る距離よりも接近した位置を検知してもよい。例えば
、電磁誘導方式を用いた場合に検知部１３は、コイル等を備えた指示体２が所定の距離よ
りも検知部１３に接近すれば、磁界に生じる変化を検知できるからである。したがって、
検知部１３は、例えば透明な素材で構成され、利用者から見て表示部１４よりも手前に設
けられてもよい。要するに、検知部１３は、表示領域に文書が表示されているときに、指
示体を当該表示領域に接触させ、または当該表示領域に対して或る距離よりも接近させる
ことにより、当該文書において利用者が指示する位置を検知する検知手段として機能すれ
ばよい。
【００５３】
（４）第２実施形態において、画像データベース１２２に記憶された印影画像は暗号化さ
れていてもよい。この場合、識別情報は暗号化された印影画像（以下、暗号化画像という
）を複合するための鍵となる鍵情報を含んでいてもよい。制御部１１ａは、識別情報に対
応する暗号化画像を特定し、鍵情報を用いることにより、この暗号化画像を複合して印影
画像を取得すればよい。鍵情報を捏造することは識別情報を捏造することよりも難しいの
で、このように構成することにより、正規の利用者以外の者により印影画像が使われるこ
とが抑制される。
【００５４】
（５）第３実施形態において、画像記憶領域１２３に記憶された印影画像が削除される条
件について触れなかったが、印影画像は、画像記憶領域１２３に記憶されてから一定の時
間が経過したときに削除されるようにしてもよい。この場合、内蔵されたタイマを参照す
ることにより制御部１１ｂは、印影画像が画像記憶領域１２３に記憶されてから経過した
時間を算出し、この経過時間が閾値を超えたときに印影画像を削除すればよい。
【００５５】
（６）上述の実施形態において、制御部１１は印影画像を用いて文書に捺印がされた捺印
文書を生成していたが、生成された捺印文書は表示部１４により表示領域１４１に表示さ
れてもよい。この場合、表示部１４は、生成手段により生成された文書を表示領域に表示
する表示手段の一例である。
これにより、利用者は捺印された文書を確認することができ、印鑑を用いた捺印に近い
操作感を得ることができる。
また、制御部１１により生成された捺印文書は通信部１６を介して外部装置に送信され
てもよい。
【００５６】
（７）制御部１１によって実行される各コンピュータープログラムは、磁気テープや磁気
ディスク等の磁気記録媒体、光ディスク等の光記録媒体、光磁気記録媒体、半導体メモリ
ー等の、コンピューター装置が読み取り可能な記録媒体に記憶された状態で提供し得る。
また、このコンピュータープログラムを、インターネットのようなネットワーク経由でダ
ウンロードさせることも可能である。なお、制御部１１によって例示した制御手段として
はＣＰＵ以外にも種々の装置を適用することができ、例えば、専用のプロセッサー等を用
いてもよい。また、制御部１１がコンピュータープログラムを実行することにより実現さ
れる各種機能は、それぞれ専用のプロセッサー等によって実現されてもよい。
【００５７】
（８）上述の実施形態において、取得部１１１は、指示体２に定められた画像を取得して
いたが、指示体２に固有の画像を取得してもよい。すなわち指示体２ごとに固有の画像が
それぞれ定められており、取得部１１１は、各指示体２からその固有の画像をそれぞれ取
得すればよい。これにより印影画像と指示体２とは１対１の対応関係を有することとなり
、捺印の信頼性が増すこととなる。
【００５８】
（９）上述の実施形態において、制御部１１は、文書記憶領域１２１から読み出され表示
領域１４１に表示されている文書の検知部１３が検知した位置に印影画像を配置した捺印
文書を生成していたが、生成された捺印文書を示すデータを画像形成装置に送り、捺印文
書を示す画像を用紙等の記録媒体上に形成させてもよい。この場合、本発明は、表示装置
１と画像形成装置とを含む画像形成システムとして観念される。
【００５９】
図１４は、この変形例における画像形成システム９の概略図である。図１５は、この変
形例における画像形成システム９の構成を示すブロック図である。表示装置１ｃは、接続
部１８を備えている点を除けば第１実施形態における表示装置１と同じである。接続部１
８は、例えばＵＳＢ端子等であり、画像形成装置４に捺印文書を示す画像データを出力す
る。画像形成装置４は、表示装置１ｃの接続部１８を介して送られる画像データに基づい
て、用紙等の記録媒体上に上述した捺印文書を示す画像を形成する。
【００６０】
これにより、利用者は捺印された文書を記録媒体上に形成された画像により確認するこ
とができる。また、この文書が記述された記録媒体を作成するに当たって、朱肉等のよう
な捺印のための顔料を必要としないため、例えば、捺印のための顔料によって、この記録
媒体に触れる手や封筒等を汚すことがない。
【００６１】
なお、表示装置１ｃは、画像形成装置４を操作する操作パネルとして機能してもよい。
この場合、画像形成装置４と表示装置１ｃはバスを共有していてもよく、表示装置１ｃの
制御部１１は、画像形成装置４から情報を得るとともに画像形成装置４を制御し、表示部
１４に画像形成装置４を制御するための操作画面を表示するようにしてもよい。
また、画像形成システム９において、通信回線３に接続された画像形成装置４を用いる
場合には、表示装置１ｃに接続部１８はなくてもよい。この場合、表示装置１ｃは、通信
部１６を介して画像形成装置４に捺印文書を示す画像データを出力すればよい。
【符号の説明】
【００６２】
１，１ａ，１ｂ，１ｃ…表示装置、１１，１１ａ，１１ｂ…制御部、１１１，１１１ａ，
１１１ｂ…取得部、１１２…生成部、１２，１２ａ，１２ｂ…記憶部、１２１…文書記憶
領域、１２２…画像データベース、１２３…画像記憶領域、１３…検知部、１４…表示部
、１４１…表示領域、１５…受信部、１６…通信部、１７…読取部、１７１…読取面、１
８…接続部、２，２ａ，２ｂ，２ｃ，２ｄ…指示体、２０…面、２０ａ，２０ｂ…突起、
２１…印影画像、２２…識別情報、２３…面、２４…印鑑、２５…ホルダー、３…通信回
線、４…画像形成装置、９…画像形成システム。
【図１】
2011232849.tif 000003
【図２】
2011232849.tif 000004
【図３】
2011232849.tif 000005
【図４】
2011232849.tif 000006
【図５】
2011232849.tif 000007
【図６】
2011232849.tif 000008
【図７】
2011232849.tif 000009
【図８】
2011232849.tif 000010
【図９】
2011232849.tif 000011
【図１０】
2011232849.tif 000012
【図１１】
2011232849.tif 000013
【図１２】
2011232849.tif 000014
【図１３】
2011232849.tif 000015
【図１４】
2011232849.tif 000016
【図１５】
2011232849.tif 000017